(57)【要約】      （修正有）【課題】形状が簡単で、小型化することができると共に、電磁ノイズの影響を受けやすい電気部品を電磁ノイズから遮断することができる放熱フィンを提供。【解決手段】発熱体６を取り付ける受熱部２と、前記発熱体の熱を冷却風中に拡散する放熱部３とを備え、電気機器の内部に設置される放熱器１において、前記放熱部は、前記受熱部の両端に一体的に形成されてなり、安定電位に電気的に接続する端子４を備える。放熱部は、前記受熱部に対し折り曲げ形成されている。一側に設けられた電磁ノイズを受けやすい電気部品１０を電気部品１１の電磁ノイズから遮断する。【選択図】図１
2008300545.tif 000002
【特許請求の範囲】
【請求項１】
発熱体を取り付ける受熱部と、
前記発熱体の熱を冷却風中に拡散する放熱部とを備えた放熱器において、
前記放熱部は、前記受熱部の端部に一体的に形成されており、
安定電位に電気的に接続する端子を備える
ことを特徴とする放熱器。
【請求項２】
前記放熱部は、前記受熱部に対し折り曲げ形成されていることを特徴とする請求項１記載の放熱器。
【請求項３】
一側に設けられた電磁ノイズを受けやすい電気部品を電磁ノイズから遮断することを特徴とする請求項１又は２記載の放熱器。
【発明の詳細な説明】
【技術分野】
【０００１】
本発明は、放熱器に関し、特に半導体などの発熱体によって生じる熱を放熱させる放熱器に関するものである。
【背景技術】
【０００２】
従来、スイッチング電源装置などに代表される各種電気機器の内部には、半導体素子などの発熱体を有しており、こうした発熱体の著しい温度上昇を防ぐために、発熱体から生じる熱を、当該発熱体に接触する受熱板に導いて、放熱ピンや放熱フィンなどの放熱部から輻射することにより、発熱体の温度上昇を低減する放熱器が設けられている（例えば、特許文献１）。
【０００３】
ここで、従来の構造について図２を参照して説明する。図２に示す放熱器51は、角パイプ状の本体52を備え、該本体52は一辺に受熱部53を有し、該受熱部53の内側に内方へ突出した放熱フィン54が複数設けられている。前記受熱部53の外側表面には、発熱体としての電気部品55が設置され、該電気部品55は、本体52の前記放熱フィン54に対向する面に設置された別な複数の電気部品56と電線57を介して電気的に接続されている。この電気部品56は、本体52の別な一辺に形成した受熱部58上に設置される。
【０００４】
実際上、放熱器51は、放熱フィン54が本体52の長手方向に延びる突条で形成されており、これにより本体52の内側には一端から他端に向かって冷却風が流れるように構成される。従って、放熱器51は、受熱部53の外側表面に設置された電気部品55による熱が本体52の受熱部53に伝わると、受熱部53の内側に設けられた放熱フィン54に伝導して、この放熱フィン54から冷却風中へ熱が拡散することにより、電気部品55を冷却する。また、本体52の内側に配置される電気部品56からの熱が、直接的若しくは受熱部58から放熱フィン54に伝導して、冷却風中に放散することで、電子部品56も冷却することができる。
【特許文献１】特開２００５−１７５２２５号公報
【発明の開示】
【発明が解決しようとする課題】
【０００５】
しかしながら上記した従来の放熱器51は、角パイプ状の本体52の内側に設けた放熱フィン54が突条であるため、形状が複雑で、小型化が難しく、また、一枚基板タイプの電気機器に使用することが困難であるという問題があった。さらに、この放熱器51は、放熱フィン54が突条であるため、電気部品55，56の配置箇所が制約されるという問題があった。
【０００６】
そこで本発明は上記した問題点に鑑み、形状が簡単で、小型化することができる放熱フィンを提供することを目的とする。
【課題を解決するための手段】
【０００７】
上記目的を達成するために、請求項１に係る発明は、発熱体を取り付ける受熱部と、前記発熱体の熱を冷却風中に拡散する放熱部とを備えた放熱器において、前記放熱部は、前記受熱部の端部に一体的に形成されており、安定電位に電気的に接続する端子を備えることを特徴とする。
【０００８】
また、請求項２に係る発明は、前記放熱部は、前記受熱部に対し折り曲げ形成されていることを特徴とする。
【０００９】
また、請求項３に係る発明は、一側に設けられた電磁ノイズを受けやすい電気部品を電磁ノイズから遮断することを特徴とする。
【発明の効果】
【００１０】
本発明の請求項１に記載の放熱器によれば、形状が簡単で、小型化することができる。
【００１１】
また、請求項２に記載の放熱器によれば、冷却風が放熱部に直接当たるように構成したことにより、熱を冷却風中に効率よく拡散させることができる。
【００１２】
また、請求項３に記載の放熱器によれば、放熱器を挟んで設置した電磁ノイズを受けやすい電気部品を、電磁ノイズから遮断することができる。
【発明を実施するための最良の形態】
【００１３】
以下図面を参照して、本発明の好適な実施形態について説明する。
【００１４】
図１に示す放熱器１は、受熱部２、放熱部３，３及び端子４を備え、スイッチング電源装置などの電気機器（図示しない）の基板５に取り付けられる。この放熱器１は、全体として、受熱部２に設置された発熱体６の熱を放熱部３，３において冷却風中へ拡散し、発熱体６を冷却し得るように構成される。ここで、発熱体６とは、例えば、ダイオードやスイッチング素子などの半導体素子である。
【００１５】
放熱器１は、アルミニウムなどの熱伝導性に優れた板状の部材からなり、平面視において略Ｓ字形に形成され、受熱部２と、該受熱部２の両端を略直角方向へそれぞれ折り曲げて形成した放熱部３，３とを備える。
【００１６】
受熱部２は、平面視において放熱器１の中心に位置し、発熱体６を設置するためのボルト７を固定するタップ穴８が穿設されている。
【００１７】
放熱部３，３は、受熱部２の両側に一対設けられており、先端３ａ，３ｂが互いに１８０度逆方向に向くように形成されている。この放熱部３，３には、底面側に基板５に固定するための端子４が設けられている。尚、ここでの放熱器１は、請求項３記載の電磁ノイズを遮断するシールド部材として機能するが、放熱器１のシールド効果を高めるには、基板５に半田付け接続される端子４を、安定電位につなぐ必要がある。そのために好ましくは、基板５を介して、電気機器の筺体接地（ＦＧ）若しくは直流電圧のマイナス側電圧ラインと電気的に接続するように構成される。
【００１８】
このように構成された放熱器１は、発熱体６を受熱部２にボルト７で設置し、発熱体６と受熱部２とを熱的に接続した後、端子４を基板に予め穿設された貫通穴（図示しない）に挿入して、基板５に実装される。
【００１９】
基板５には、一端にファン（図示しない）が設けられており、基板５上を一方向（図中矢印方向）へ冷却風が流れるように構成されている。この基板５上には、前記発熱体６の他に、電磁ノイズを受けやすい電気部品としての例えば入力フィルタ10と、電磁ノイズを発生する電気部品としての例えばインダクタンス部品11とが実装されている。この基板５上において、放熱器１は、受熱部２によって、入力フィルタ10をインダクタンス部品11から遮るように取り付けられる。すなわち、放熱器１は、基板５の一方向に略直角方向に並べて実装された入力フィルタ10とインダクタンス部品11との間であって、受熱部２が基板５の一方向と平行となるように設置される。このようにして、入力フィルタ10とインダクタンス部品11とは、放熱器１によって区切られ、さらに放熱部３，３には、受熱部２に平行に流れる冷却風が直接当たるようになっている。
【００２０】
尚、受熱部２に設置された発熱体６も、接続端子４を基板５に予め穿設された貫通穴（図示しない）に挿入して、基板５に実装される。また、インダクタンス部品11とは、磁性部材であるコアと巻線であるコイルとを主要な構成要素とするチョークコイルやトランス等の回路部品である。
【００２１】
次に、上記のように構成した放熱器１の作用及び効果について説明する。電気機器（図示しない）の動作中は、プリント基板５に予め形成されたパターンを介して放熱器１に取り付けた発熱体６に電流が流れ込む。また、基板５上には、ファン（図示しない）によって、一方向へ冷却風が流れる。電流が流れることにより、前記発熱体６が発熱するが、この熱は、発熱体６と受熱部２とが熱的に接続していることから、受熱部２から該受熱部２の両端に設けられた放熱部３，３へ伝わる。
【００２２】
ここで、放熱部３，３は、受熱部２の両側に一対設けられ、受熱部２の両端を略直角方向へそれぞれ折り曲げて、先端３ａ，３ｂが互いに１８０度逆方向に向くように形成したことにより、それぞれの放熱部３，３に受熱部２に平行に流れる冷却風が直接当たるように構成した。これにより、従来のように突条からなる放熱フィンを設けなくても、放熱器１は、熱を冷却風中に効率よく拡散させることができる。従って、放熱器１は、放熱部３，３へ伝わった熱を冷却風中に拡散することにより、発熱体６を冷却することができる。
【００２３】
このように、放熱器１は、受熱部２と、該受熱部２の両端を略直角方向へそれぞれ折り曲げて形成した放熱部３，３とにより構成したので、形状が簡単で、小型化することができる。また、放熱器１は、従来のように突条を有しないので、発熱体６の設置箇所が制約されることがないので、設計の自由度を向上することができる。
【００２４】
ところで、電気機器（図示しない）の動作中は、同様にインダクタンス部品11にも電流が流れ、該インダクタンス部品11によって電磁ノイズが発生する。因みに、従来の電気機器（図示しない）では、上記のようにインダクタンス部品11によって発生した電磁ノイズが、隣り合う位置に実装された入力フィルタ10に影響を及ぼしていた。
【００２５】
これに対して、本発明に係る放熱器１は、放熱器１自体にシールド部材としての機能を持たせるために、好ましくは筐体接地や直流電圧のマイナス側電圧ラインと電気的に接続可能な端子４を備えている。これにより、インダクタンス部品11によって発生した電磁ノイズは、放熱器１によって遮断、吸収される。従って、放熱器１は、入力フィルタ10を電磁ノイズから遮断することにより、電気機器（図示しない）を正常に動作させることができる。
【００２６】
上記したように、本実施形態に係る放熱器１は、放熱部３，３で熱を冷却風に拡散すると共に、電磁ノイズを吸収する。これにより、放熱器１は、発熱体６を効率よく冷却すると共に、放熱器１を挟んで設置した入力フィルタ10を、インダクタンス部品11によって発生する電磁ノイズから遮断することができる。
【００２７】
本実施形態では、放熱器１は、放熱部３，３は、受熱部２の両端を折り曲げて一体的に形成した。このように構成したことにより、放熱器１は、形状が簡単であるので、容易に小型化することができる。
【００２８】
また、放熱器１は、筐体接地に電気的に接続する端子４を備え、入力フィルタ10と、インダクタンス部品11との間に取り付けることとした。これにより放熱器１は、インダクタンス部品11が発生する電磁ノイズを吸収するので、入力フィルタ10を電磁ノイズの影響から遮断することができる。
【００２９】
本発明は、本実施形態に限定されるものではなく、本発明の要旨の範囲内で種々の変形実施が可能である。例えば、上記した実施形態では、放熱器１の端子４は、筐体接地に電気的に接続する場合について説明したが、本発明はこれに限らず、放熱器１の端子４は、直流配線のカソードラインに電気的に接続することとしてもよい。
【００３０】
また、放熱器１は、平面視において略Ｓ字形であって、先端3a,3bが互いに１８０度逆方向に向くように形成した場合について説明したが、本発明はこれに限らず、放熱部３，３が冷却風に直接接触する形状であれば、基板５に実装される他の部品との関係において、適宜変更することができる。例えば、放熱器は、平面視において、鉤型状や、コ字状としてもよい。
【００３１】
また、放熱部３，３は、受熱部２の両端を略直角方向へそれぞれ折り曲げて形成した場合について説明したが、本発明はこれに限らず、基板５に実装される他の部品との関係において、受熱部２に対する放熱部３，３の角度及び方向は、適宜変更することができることはもちろんである。
【００３２】
また、放熱器１は、受熱部２の両端を略直角方向へそれぞれ折り曲げて形成することにより、それぞれの放熱部３，３に受熱部２に平行に流れる冷却風が直接当たるように構成した場合について説明したが、本発明はこれに限らず、電磁ノイズをより確実に遮断し得るように折り曲げることとしてもよい。
【図面の簡単な説明】
【００３３】
【図１】本実施形態に係る放熱器の構成を示す斜視図である。
【図２】従来例を示す縦断面図である。
【符号の説明】
【００３４】
１    放熱器
２    受熱部
３    放熱部
４    端子
10    入力フィルタ（電気部品）
【図１】
2008300545.tif 000003
【図２】
2008300545.tif 000004